(57)【特許請求の範囲】
【請求項１】
ユーザー機器（ＵＥ）が無線リンクモニタリングを実行する場合、
ユーザー機器（ＵＥ）は、プライマリサービングセルのダウンリンク信号をモニタリングし、モニタリング結果を取得するステップと、
前記ＵＥは、前記モニタリング結果を取得された同期閾値と比較して、前記ＵＥが同期状態にあるかどうかを判断するステップとを備え、
前記同期閾値は、事前に構成されたパラメーター値に基づいて判断され、
前記ＵＥが前記モニタリング結果を取得された同期閾値と比較して、前記ＵＥが同期状態にあるかどうかを判断する前、
前記ＵＥは、前記ＵＥによって受信されたシステム同期ＳＳブロックのブロックエラー率（ＢＬＥＲ）のマッピングに従って前記同期閾値を決定し、または、
前記ＵＥは、ネットワーク側装置によって事前に構成されたパラメーター値に従って、前記同期閾値を決定し、
前記ＵＥによって受信されたシステム同期ＳＳブロックのブロックエラー率（ＢＬＥＲ）のマッピングに従って前記同期閾値を決定する前、
各ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算し、
前記ＵＥは、ネットワーク側装置によって事前に構成されたパラメーター値に従って、前記同期閾値を決定するとき、ユーザー機器（ＵＥ）が、プライマリサービングセルのダウンリンク信号をモニタリングし、モニタリング結果を取得する場合、前記ＵＥは、サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得することを特徴とする無線リンクのモニタリング方法。
【請求項２】
前記ＳＳブロックのブロックエラー率（ＢＬＥＲ）は、新しい無線（ＮＲ）物理ブロードキャストチャネル（ＰＢＣＨ）のＢＬＥＲであることを特徴とする請求項１に記載の無線リンクのモニタリング方法。
【請求項３】
前記システム同期ＳＳブロックのブロックエラー率（ＢＬＥＲ）を計算する前、
前記ＵＥは、アイドルモードまたは接続モードにあるとき、ネットワーク側装置によって送信された構成情報に従って、前記ＰＳＳ、ＳＳＳまたは、ＤＭＲＳの送信周期を決定することを特徴とする請求項１に記載の無線リンクのモニタリング方法。
【請求項４】
前記送信周期は、前記ＵＥの移動速度に対応し、ここで、第１の移動速度に対応する送信周期は、第２の移動速度に対応する送信周期よりも小さく、第１の移動速度は、第２の移動速度よりも大きいことを特徴とする請求項３に記載の無線リンクのモニタリング方法。
【請求項５】
前記ＵＥが、前記モニタリング結果を取得された同期閾値に対して無線リンクモニタリングを実行した後、
前記ＵＥは、ネットワーク側装置によって送信された前記同期閾値を調整するための信号命令を受信すると、前記信号命令に従って前記同期閾値を調整することを特徴とする請求項１から請求項４のいずれか１項に記載の無線リンクのモニタリング方法。
【請求項６】
プライマリサービングセルのダウンリンク信号をモニタリングし、モニタリング結果を取得するように構成されたモニタリングユニットと、
前記モニタリング結果を取得された同期閾値と比較して、ＵＥが同期状態にあるかどうかを判断し、前記同期閾値は、事前に構成されたパラメーター値に基づいて判断されるように構成された判断ユニットと、
ＵＥによって受信されたシステム同期ＳＳブロックのブロックエラー率（ＢＬＥＲ）のマッピングに従って前記同期閾値を決定し、または、ネットワーク側装置によって事前に構成されたパラメーター値に従って、前記同期閾値を決定するように構成された決定ユニットと、
前記決定ユニットがＵＥによって受信されたシステム同期ＳＳブロックのブロックエラー率（ＢＬＥＲ）のマッピングに従って前記同期閾値を決定する前に、ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算するように構成されたＢＬＥＲ決定ユニットを備え、
前記決定ユニットがネットワーク側装置によって事前に構成されたパラメーター値に従って、前記同期閾値を決定するとき、ユーザー機器（ＵＥ）が、プライマリサービングセルのダウンリンク信号をモニタリングし、モニタリング結果を取得する場合、前記ＵＥは、サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得することを特徴とするユーザー機器。
【請求項７】
前記ＳＳブロックのブロックエラー率（ＢＬＥＲ）は、新しい無線（ＮＲ）物理ブロードキャストチャネル（ＰＢＣＨ）のＢＬＥＲであることを特徴とする請求項６に記載のユーザー機器。
【請求項８】
前記ブロックエラー率決定ユニットは、さらに、前記ＵＥがアイドルモードまたは接続モードにあるとき、ネットワーク側装置によって送信された構成情報に従って、前記ＰＳＳ、ＳＳＳまたは、ＤＭＲＳの送信周期を決定することを特徴とする請求項６に記載のユーザー機器。
【請求項９】
前記送信周期は、前記ＵＥの移動速度に対応し、ここで、第１の移動速度に対応する送信周期は、第２の移動速度に対応する送信周期よりも小さく、第１の移動速度は、第２の移動速度よりも大きいことを特徴とする請求項８に記載のユーザー機器。
【請求項１０】
コンピュータプログラムを記憶するコンピュータ可読記憶媒体であって、コンピュータプログラムは、プロセッサによって実行されると、請求項１から請求項５のいずれかに記載の方法のステップを実施することを特徴とするコンピュータ可読記憶媒体。
【発明の詳細な説明】
【技術分野】
【０００１】
関連出願の相互参照
本出願は、２０１７年６月１６日に中国特許局に提出し、出願番号が２０１７１０４５９２６７.０であり、発明名称が「無線リンクのモニタリング方法および装置」との中国特許出願を基礎とする優先権を主張し、その開示の総てをここに取り込む。
【０００２】
本発明は、無線通信技術分野に関し、特に無線リンクのモニタリング方法および装置に関する。
【背景技術】
【０００３】
無線リンクモニタリング（ｒａｄｉｏ ｌｉｎｋ ｍｏｎｉｔｏｒｉｎｇ，ＲＬＭ）機能は、ユーザー機器（ｕｓｅｒ ｅｑｕｉｐｍｅｎｔ，ＵＥ）によってプライマリサービングセルのダウンリンク信号の品質をモニタリングして、ＵＥが同期状態か非同期状態かを判定することである。
【０００４】
既存のＬＴＥ ＲＬＭの設計および実施は、具体的には：仮想物理ダウンリンク制御チャネル（ｈｙｐｏｔｈｅｔｉｃａｌ ｐｈｙｓｉｃａｌ ｄｏｗｎｌｉｎｋ ｃｏｎｔｒｏｌ ｃｈａｎｎｅｌ，仮想ＰＤＣＣＨ）を定義し、同期閾値および非同期閾値に対応する仮想ＰＤＣＣＨのブロック誤り率（ｂｌｏｃｋ ｅｒｒｏｒ ｒａｔｅ，ＢＬＥＲ）を与えることである。ＵＥの設計では、仮想ＰＤＣＣＨのＢＬＥＲから同期閾値または非同期閾値へのマッピングが実施される。ＵＥ ＲＬＭオペレーションでは、ダウンリンク無線リンク品質がセル固有参考信号（ｃｅｌｌ ｓｐｅｃｉｆｉｃ ｒｅｆｅｒｅｎｃｅ ｓｉｇｎａｌ，ＣＲＳ）から測定され、測定結果が同期閾値および非同期閾値と比較されて、ＵＥが同期または非同期の状態にあるかどうかを決定する。
【０００５】
ロングタームエボリューション（Ｌｏｎｇ Ｔｅｒｍ Ｅｖｏｌｕｔｉｏｎ，ＬＴＥ）システムでは、ＵＥは、ＣＲＳの品質を推定することによりＲＬＭを実施することができる。ＵＥの同期閾値Ｑｉｎと非同期閾値Ｑｏｕｔは、仮想ＰＤＣＣＨの１０％と２％のＢＬＥＲに対応すると判断される。
【発明の概要】
【発明が解決しようとする課題】
【０００６】
現在の５Ｇの新しい無線（ｎｅｗ ｒａｄｉｏ，ＮＲ）システムは、ＬＴＥよりもはるかに複雑である。５Ｇ ＮＲは、低周波数帯から高周波数帯までの動作をサポートする必要があり、ビームフォーミングを通じてより幅広い無線リンクサービスをサポートし、リンク遅延、データレート、信頼性などの要件が異なる。したがって、ＮＲは、固定仮説ＰＤＣＣＨベースの方法を使用してはいけない。また、ＮＲのシステム同期ブロック（ｓｙｓｔｅｍ ｓｙｎｃｈｒｏｎｉｚａｔｉｏｎ ｂｌｏｃｋ，ＳＳブロック）にはＰＤＣＣＨが含まれていない。ＬＴＥで提供される方法を使用してＲＬＭを実施する場合、実際のＰＤＣＣＨ ＢＬＥＲから同期閾値Ｑｉｎまたは非同期閾値Ｑｏｕｔへのマッピングを実施するには、仮想ＰＤＣＣＨを個別に定義する必要がある。このような解決策では、ＲＬＭテストをＮＲ ＰＤＣＣＨパフォーマンステストと同時に実行することはできない。また、ＲＬＭ性能要件を定義するのは複雑であり、閾値を調整して異なる特定のシステムをサポートすることで望ましい柔軟性を提供できない。
【０００７】
本発明は無線リンクのモニタリング方法および装置を提供し、ＲＬＭ性能要件を定義するのは複雑であり、閾値を調整して異なる特定のシステムをサポートすることで望ましい柔軟性を提供できない従来技術の問題を解決する。
【課題を解決するための手段】
【０００８】
第１の態様によれば、本発明による無線リンクのモニタリング方法，ユーザー機器（ＵＥ）が無線リンクモニタリングを実行する場合、
ユーザー機器（ＵＥ）は、プライマリサービングセルのダウンリンク信号をモニタリングし、モニタリング結果を取得するステップと、
前記ＵＥは、前記モニタリング結果を取得された同期閾値と比較して、前記ＵＥが同期状態にあるかどうかを判断するステップとを備え、ここで、前記同期閾値は、事前に構成されたパラメーター値に基づいて判断される。
【０００９】
オプションの実施形態では、前記ＵＥが前記モニタリング結果を取得された同期閾値と比較して、前記ＵＥが同期状態にあるかどうかを判断する前、さらに、
前記ＵＥは、前記ＵＥによって受信されたシステム同期ＳＳブロックのブロックエラー率（ＢＬＥＲ）のマッピングに従って前記同期閾値を決定し、または、
前記ＵＥは、ネットワーク側装置によって事前に構成されたパラメーター値に従って、前記同期閾値を決定する。
【００１０】
オプションの実施形態では、前記ＳＳブロックのブロックエラー率（ＢＬＥＲ）は、新しい無線（ＮＲ）物理ブロードキャストチャネル（ＰＢＣＨ）のＢＬＥＲである。
【００１１】
オプションの実施形態では、前記ＵＥによって受信されたシステム同期ＳＳブロックのブロックエラー率（ＢＬＥＲ）のマッピングに従って前記同期閾値を決定する前、さらに、
各ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算する。
【００１２】
オプションの実施形態では、前記システム同期ＳＳブロックのブロックエラー率（ＢＬＥＲ）を計算する前、さらに、
前記ＵＥは、アイドルモードまたは接続モードにあるとき、ネットワーク側装置によって送信された構成情報に従って、前記ＰＳＳ、ＳＳＳまたは、ＤＭＲＳの送信周期を決定する。
【００１３】
オプションの実施形態では、前記送信周期は、前記ＵＥの移動速度に対応し、ここで、第１の移動速度に対応する送信周期は、第２の移動速度に対応する送信周期よりも小さく、第１の移動速度は、第２の移動速度よりも大きい。
【００１４】
オプションの実施形態では、前記ＵＥが、前記モニタリング結果を取得された同期閾値に対して無線リンクモニタリングを実行した後、さらに
前記ＵＥは、ネットワーク側装置によって送信された前記同期閾値を調整するための信号命令を受信すると、前記信号命令に従って前記同期閾値を調整する。
【００１５】
オプションの実施形態では、ユーザー機器（ＵＥ）が、プライマリサービングセルのダウンリンク信号をモニタリングし、モニタリング結果を取得する場合、
前記ＵＥは、サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得する。
【００１６】
第２の態様によれば、本発明による無線リンクのモニタリング方法は、
ネットワーク側装置は、信号命令によって、事前に構成された同期閾値をユーザー機器（ＵＥ）に送信し、
前記ＵＥが無線リンクモニタリングを実行するとき、プライマリサービングセルのダウンリンク信号をモニタリングし、モニタリング結果を取得する。前記モニタリング結果を前記事前に構成された同期閾値と比較して、前記ＵＥが同期状態にあるかどうかを判断する。
【００１７】
第３の態様によれば、本発明によるユーザー機器は、
プライマリサービングセルのダウンリンク信号をモニタリングし、モニタリング結果を取得するように構成されたモニタリングユニットと、
前記モニタリング結果を取得された同期閾値と比較して、前記ＵＥが同期状態にあるかどうかを判断し、前記同期閾値は、事前に構成されたパラメーター値に基づいて判断されるように構成された判断ユニットとを備える。
【００１８】
オプションの実施形態では、当該ユーザー機器は、前記ＵＥによって受信されたシステム同期ＳＳブロックのブロックエラー率（ＢＬＥＲ）のマッピングに従って前記同期閾値を決定し、または、ネットワーク側装置によって事前に構成されたパラメーター値に従って、前記同期閾値を決定するように構成された決定ユニットをさらに備える。
【００１９】
オプションの実施形態では、前記ＳＳブロックのブロックエラー率（ＢＬＥＲ）は、新しい無線（ＮＲ）物理ブロードキャストチャネル（ＰＢＣＨ）のＢＬＥＲである。
【００２０】
オプションの実施形態では、当該ユーザー機器は、各ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算するように構成されたＢＬＥＲ決定ユニットをさらに備える。
【００２１】
オプションの実施形態では、ブロックエラー率決定ユニットは、さらに、前記ＵＥがアイドルモードまたは接続モードにあるとき、ネットワーク側装置によって送信された構成情報に従って、前記ＰＳＳ、ＳＳＳまたは、ＤＭＲＳの送信周期を決定する。
【００２２】
オプションの実施形態では、前記送信周期は、前記ＵＥの移動速度に対応し、ここで、第１の移動速度に対応する送信周期は、第２の移動速度に対応する送信周期よりも小さく、第１の移動速度は、第２の移動速度よりも大きい。
【００２３】
オプションの実施形態では、前記ユーザー機器は、ネットワーク側装置によって送信された前記同期閾値を調整するための信号命令を受信すると、前記信号命令に従って前記同期閾値を調整するように構成された調整ユニットをさらに備える。
【００２４】
オプションの実施形態では、前記モニタリングユニットは、具体的に、サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得する。
【００２５】
第４の態様によれば、本発明による無線リンクモニタリングシステムは、
信号命令により事前に構成された同期閾値を前記ＵＥに送信するように構成されたネットワーク側装置と、
無線リンクモニタリングを実行するとき、プライマリサービングセルのダウンリンク信号をモニタリングし、モニタリング結果を取得するし、前記モニタリング結果を前記事前に構成された同期閾値と比較して、前記ＵＥが同期状態にあるかどうかを判断するように構成された前記ＵＥとを備える。
【００２６】
第５態様によれば、メモリに格納されたコンピュータプログラムを実行するときに、第１の態様による前記方法のステップを実施するように構成されたプロセッサを含むコンピュータ装置を提供する。
【００２７】
第６の態様によれば、本発明によるコンピュータ可読記憶媒体は、コンピュータプログラムは、コンピュータプログラムを記憶し、プロセッサによって実行されると、第１の態様による前記方法のステップを実施する。
【発明の効果】
【００２８】
本発明は以下の有益な効果を有する。
【００２９】
ＲＬＭ性能要件を定義するのは複雑であり、ＮＲ ＰＤＣＣＨ性能テストと同時に行うことができず、閾値を調整して異なる特定のシステムをサポートすることで望ましい柔軟性を提供できない従来技術における問題を考慮して、本発明の実施例で提供される方法は、ＮＲのＳＳブロック内のチャネルおよび/または情報を利用してＵＥの同期または非同期の閾値をマッピングし、それによりＮＲシステムでのＲＬＭ実施を達成し、ＵＥが同期閾値の決定を実施しやすくなり、ＲＬＭ性能要件の定義が簡単になり、また、ＲＬＭ性能のテストのワークロードを最小限に抑えることができる。
【図面の簡単な説明】
【００３０】
【図１】本発明の第１の実施形態による無線リンクのモニタリング方法を示す図である。
【図２】本発明の第２の実施形態による無線リンクのモニタリング方法を示す図である。
【図３】本発明の第３の実施形態による無線リンクのモニタリング方法を示す図である。
【図４】本発明の第４の実施形態によるユーザー機器の概略構造図である。
【図５】本発明の実施形態による無線リンクモニタリングシステムの概略構造図である。
【図６】本発明の実施形態によるユーザー機器の物理的構造図である。
【発明を実施するための形態】
【００３１】
本発明の実施例における目的、技術解決策と利点を明確にするため、以下に本発明の実施例における図と結合して本発明の実施例における技術解決策の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する。
【００３２】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）、ＮＲ（Ｎｅｗ ｒａｄｉｏ）等に応用できる。
【００３３】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００３４】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）または５ＧシステムにおけるｇＮＢであってもよいが、本発明をそれに限定しない。
【００３５】
本発明の実施形態による解決策では、ＵＥが同期されているかどうかを判断するための判断閾値は、ＳＳブロック内の情報によって取得される。従来技術で提供される仮想ＰＤＣＣＨを使用して判断閾値を取得する方法と比較して、本発明の方法は、仮想ＰＤＣＣＨを別個に定義する必要がないため、単純で便利である。本発明による含む無線リンクのモニタリング方法は、無線リンクモニタリングのためにユーザー機器（ＵＥ）に適用される場合、以下のステップを備える。
【００３６】
ユーザー機器（ＵＥ）は、プライマリサービングセルのダウンリンク信号をモニタリングし、モニタリング結果を取得する。
【００３７】
前記ＵＥは、前記モニタリング結果を取得された同期閾値と比較して、前記ＵＥが同期状態にあるかどうかを判断し、ここで、前記同期閾値は、事前に構成されたパラメーター値に基づいて判断される。
【００３８】
特定の実施において、本発明の実施例で提供される方法は、現在の５Ｇ ＮＲ（ｎｅｗ ｒａｄｉｏ，新しい無線）システムにおける様々なチャネおよび／または信号に基づいて同期閾値を決定し得る。本発明の実施形態では、以下の２つの方式が説明のための例として使用される。
【００３９】
方式ａでは、ＵＥは、前記ＵＥによって受信されたシステム同期ＳＳブロックのブロックエラー率（ＢＬＥＲ）のマッピングに従って前記同期閾値を決定する。
【００４０】
または、
方式ｂでは、前記ＵＥは、ネットワーク側装置によって事前に構成されたパラメーター値に従って、前記同期閾値を決定する。
【００４１】
本発明の実施形態による無線リンクのモニタリング方法を、添付の図面と併せてさらに詳細に説明する。
【００４２】
第１の実施形態
ＵＥは、前記ＵＥによって受信されたシステム同期ＳＳブロックのブロックエラー率（ＢＬＥＲ）のマッピングに従って前記同期閾値を決定する場合、本発明は、無線リンクのモニタリング方法を提供する。当該方法は具体的に以下のステップを備える（方法のフローチャートは図１に示される）。
【００４３】
ステップ１０１において、ＵＥが無線リンクモニタリングを実行するとき、ユーザー機器（ＵＥ）は、プライマリサービングセルのダウンリンク信号をモニタリングし、モニタリング結果を取得する。
【００４４】
ステップ１０２において、当該ＵＥは、前記モニタリング結果を取得された同期閾値と比較して、前記ＵＥが同期状態にあるかどうかを判断し、ここで、前記同期閾値は、前記ＵＥによって受信されたシステム同期ＳＳブロックのブロックエラー率（ＢＬＥＲ）のマッピングに従って取得される。
【００４５】
ＮＲのＳＳブロックはＰＤＣＣＨを含まないので、ＲＬＭは、ＬＴＥにおける仮想のＰＤＣＣＨ方法で実施することはできない。従来技術の問題を解決するため、本発明の実施例で提供される方法は、ＮＲのＳＳブロック内のチャネルおよび/または情報を利用してＵＥの同期または非同期の閾値をマッピングし、ＮＲシステムでのＲＬＭ実施を達成できる。
【００４６】
ＲＬＭ性能要件を定義するのは複雑であり、ＮＲ ＰＤＣＣＨ性能テストと同時に行うことができず、閾値を調整して異なる特定のシステムをサポートすることで望ましい柔軟性を提供できない従来技術における問題を考慮して、本発明で提供される解決策は、ＮＲ ＲＬＭを実施するためのチャネルとしてＮＲ物理ブロードキャストチャネル（Ｐｈｙｓｉｃａｌ ｂｒｏａｄｃａｓｔ ｃｈａｎｎｅｌ，ＰＢＣＨ）を利用し（新しい無線ＮＲ ＰＢＣＨのＢＬＥＲをＳＳのブロックエラー率（ＢＬＥＲ）とする）、ＮＲ ＰＢＣＨのＢＬＥＲに基づきＵＥ ＲＬＭ基準を直接定義する。すなわち、ＵＥは、サービングビームのＰＢＣＨ ＢＬＥＲおよび所定の関係または構成に基づいて同期閾値を決定し、当該同期閾値に従ってＵＥが同期状態にあるかどうかを判断する。
【００４７】
仮想ＰＤＣＣＨに基づく方法と比較して、本発明の実施例で提供される方法は、各ＮＲ ＳＳブロックに含まれるＰＢＣＨを使用する。したがって、仮想ＰＤＣＣＨを定義する必要はない。さらに、ＵＥが実際のＰＢＣＨ ＢＬＥＲから同期閾値へのマッピングを実施するほうが簡単であり、ＲＬＭ性能要件の定義が簡単になり、また、ＲＬＭ性能のテストのワークロードを最小限に抑えることができる。ＮＲ ＰＢＣＨ性能テストと同時にＲＬＭテストを実行できる。
【００４８】
本発明で提供される方法において、同期閾値は、ＳＳブロックのＢＬＥＲのマッピングを使用することにより取得され、さらに具体的には、ＳＳブロックのＢＬＥＲは、以下のパラメーター信号を使用することにより取得され得る：
【００４９】
各ＳＳブロック内のビーム方向を事前に設定するためのプライマリ同期信号（Ｐｒｉｍａｒｙ ｓｙｎｃｈｒｏｎｉｚａｔｉｏｎ ｓｉｇｎａｌ，ＰＳＳ）、セカンダリ同期信号（Ｓｅｃｏｎｄａｒｙ ｓｙｎｃｈｒｏｎｉｚａｔｉｏｎ ｓｉｇｎａｌ，ＳＳＳ）または、ＰＢＣＨの復調参考信号（Ｄｅｍｏｄｕｌａｔｉｏｎ Ｒｅｆｅｒｅｎｃｅ Ｓｉｇｎａｌ，ＤＭＲＳ）を使用して、前記ＳＳブロックのＢＬＥＲを計算する。
【００５０】
ＮＲ ＲＬＭは、複数のＲＦビームを備えた動作環境をサポートする必要がある。ルチビーム動作環境でＮＲモビリティをサポートするために、ＮＲに同期信号（Ｓｙｎｃｈｒｏｎｉｚａｔｉｏｎ ｓｉｇｎａｌ，ＳＳ）ブロックとＳＳ集合ブロックが導入された。各ＳＳブロックは、ビーム方向を事前に設定するためのＰＳＳ、ＳＳＳおよびＰＢＣＨを含む。各ＳＳ集合ブロックは、ビームスキャンを実施するための複数のＳＳブロックを含み、各ＳＳブロック集合の送信は、ビームスキャン動作の特定の領域をカバーし、ＮＲ ＵＥモビリティは主にＳＳブロックの測定に基づく。
【００５１】
初期セル探索のために設定されたデフォルトＮＲ ＳＳの周期は、５Ｇ ＮＲ内のすべてのキャリア周波数に対して２０ミリ秒（ｍｓ）であると定義される。アイドルモードのＵＥと接続モードのＵＥの場合、ＮＲ ＳＳ集合の周期値集合は{５ｍｓ、１０ｍｓ、２０ｍｓ、４０ｍｓ、８０ｍｓ、１６０ｍｓ}である。
【００５２】
ＮＲ ＳＳを使用してブロックエラー率を測定する効果を達成するために、信号送信周期は、ＲＬＭの測定要件よりも小さい必要がある。したがって、本発明で提供される解決策では、アイドルモードのＵＥと接続モードのＵＥについて、ネットワーク側装置は、みずからサポートするＵＥモビリティおよびＲＬＭの要件に従ってＮＲ ＳＳ集合の周期性を設定できる。具体的な実施は次のとおりである。
【００５３】
前記ＵＥがアイドルモードまたは接続モードにあるとき、ネットワーク側装置によって送信された構成情報に従って、前記ＰＳＳ、ＳＳＳまたは、ＤＭＲＳの送信周期を決定する。
【００５４】
ＰＳＳ、ＳＳＳ、またはＤＭＲＳの送信周期の構成原則としては、送信周期がＵＥの移動速度に対応し、ここで、第１の移動速度に対応する送信周期は、第２の移動速度に対応する送信周期よりも小さく、第１の移動速度は、第２の移動速度よりも大きい。
【００５５】
例えば、ＵＥの移動速度が３０〜６０Ｋｍ／ｈである場合、ＮＲ ＳＳ集合の周期は２０ｍｓとして構成される。ＵＥの移動速度が３ｋｍ／ｈの場合、ＮＲ ＳＳ集合の周期は８０ｍｓに構成される。
【００５６】
さらに、ＬＴＥ ＲＬＭの同期閾値はＵＥによって実施され、ネットワーク側装置はＵＥが同期閾値を構成する方法を実際に制御できないため、ＬＴＥ ＲＬＭ設計は異なる特定のシステムをサポートできない。したがって、ＬＴＥ ＲＬＭの設計には柔軟性がなく、システム性能を保証することは困難である。従来技術の問題を考慮して、本発明の実施形態で提供される解決策では、ネットワーク側装置は、特定の環境要件に従ってＲＬＭの同期閾値を調整することもできる。具体的な実施は次のとおりである：
ネットワーク側装置が、現在ＵＥに提供されているネットワークサービスに従って、ＲＬＭの同期閾値を調整する必要があると判断した場合、信号命令により調整後の同期閾値をＵＥに送信する。
【００５７】
ＵＥは、ネットワーク側装置によって送信された前記同期閾値を調整するための信号命令を受信すると、前記信号命令に従って前記同期閾値を調整する。当該実施形態では、同期閾値を調整する特定の実施は以下の通りであり得る：ＵＥは、信号命令からネットワーク側装置によって構成された同期閾値を取得し、信号命令から取得された同期閾値を使用して元の同期閾値を調整する。
【００５８】
第２の実施形態
ＮＲ ＲＬＭが異なるタイプのシステムをサポートするための柔軟性を提供するために、本発明は、ネットワークが各ＵＥの同期閾値の調整構成サービスを実行することを許可することも提案する（前記ＵＥは、ネットワーク側装置によって事前に構成されたパラメーター値に従って、前記同期閾値を決定する）。本発明の実施例による無線リンクのモニタリング方法（図２に示されるような）は、以下のステップを備える。
【００５９】
ステップ２０１において、ＵＥが無線リンクモニタリングを実行するとき、プライマリサービングセルのダウンリンク信号をモニタリングし、モニタリング結果を取得する。
【００６０】
ステップ２０２において、ＵＥは、モニタリング結果を取得された同期閾値と比較して、前記ＵＥが同期状態にあるかどうかを判断し、ここで、前記同期閾値は、ネットワーク側装置によって事前に構成されたパラメーター値である。
【００６１】
本発明の実施形態では、ネットワーク側装置は、事前に定義されたＰＢＣＨまたはＰＤＣＣＨのＢＬＥＲからＵＥによってマッピングすることなく、ＮＲ ＲＬＭの同期閾値を直接構成し、ネットワーク側装置は容易かつ適時にＵＥの同期閾値を調整して、ＲＬＭの望ましい柔軟性を提供し、それにより異なるシステムをサポートする。
【００６２】
ＰＤＣＣＨのＢＬＥＲはＲＬＭの判断基準として使用されるが、ＢＬＥＲ統計には長期プロセスが必要であり、ＵＥはＰＤＣＣＨのＢＬＥＲを計算できない。従ってＵＥは実際のリンクモニタリング中およびテスト中、ＵＥはブロックエラー率を統計することにより無線リンク品質を判断することはできず、信号の信号対干渉および雑音比を受信することにより、無線リンク品質を判断する必要がある。したがって、本発明の実施形態では、ネットワーク側装置によって構成される同期閾値は、同期信号ＮＲ-ＰＳＳ、ＮＲ-ＳＳＳおよびＰＢＣＨのＤＭＲＳの参考信号受信品質（Ｒｅｆｅｒｅｎｃｅ Ｓｉｇｎａｌ Ｒｅｃｅｉｖｅｄ Ｑｕａｌｉｔｙ，ＲＳＲＱ）または、信号対干渉雑音比（ｓｉｇｎａｌ ｔｏ ｉｎｔｅｒｆｅｒｅｎｃｅ ａｎｄ ｎｏｉｓｅ ｒａｔｉｏ，ＳＩＮＲ）に基づくことができる。
【００６３】
これに応じて、ＵＥは、プライマリサービングセルのダウンリンク信号をモニタリングし、モニタリング結果を取得する。具体的には、以下とおりである。
【００６４】
ＵＥは、サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得する。
【００６５】
本発明の実施例で提供される方法では、ネットワークは、サポートされる異なる特徴に従って同期閾値を柔軟に制御するだけでなく、ＮＲ ＲＬＭの実施をより容易にする。ＵＥは、事前に定義されたＰＢＣＨまたは、ＰＤＣＣＨチャネルのＢＬＥＲから同期状態にあるかどうかを示す同期閾値を導出する必要はない。
【００６６】
第３の実施形態
図３に示すように、本発明はさらに、以下のステップを含むことができる別の無線リンクのモニタリング方法を提供する。
【００６７】
ステップ３０１において、ネットワーク側装置は、信号命令によって、事前に構成された同期閾値をＵＥに送信する。
【００６８】
ステップ３０２において、ＵＥが無線リンクモニタリングを実行するとき、プライマリサービングセルのダウンリンク信号をモニタリングし、モニタリング結果を取得し、前記モニタリング結果を前記事前に構成された同期閾値と比較して、前記ＵＥが同期状態にあるかどうかを判断する。
【００６９】
第４の実施形態
図４に示すように、本発明の実施例によるユーザー機器は、
プライマリサービングセルのダウンリンク信号をモニタリングし、モニタリング結果を取得するように構成されたモニタリングユニット４０１と、
前記モニタリング結果を取得された同期閾値と比較して、前記ＵＥが同期状態にあるかどうかを判断し、ここで、前記同期閾値は、事前に構成されたパラメーター値に基づいて判断されるための判断ユニット４０２とを備える。
【００７０】
任意選択で、当該ユーザー機器は、前記ＵＥによって受信されたシステム同期ＳＳブロックのブロックエラー率（ＢＬＥＲ）のマッピングに従って前記同期閾値を決定し、または、ネットワーク側装置によって事前に構成されたパラメーター値に従って、前記同期閾値を決定するように構成された決定ユニットをさらに備える。
【００７１】
ここで、当該ＳＳブロックのブロックエラー率（ＢＬＥＲ）は、新しい無線（ＮＲ）物理ブロードキャストチャネル（ＰＢＣＨ）のＢＬＥＲである。
【００７２】
さらに、当該ユーザー機器は、各ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算するように構成されたＢＬＥＲ決定ユニットをさらに備える。
【００７３】
任意選択で、ブロックエラー率決定ユニットは、さらに、前記ＵＥがアイドルモードまたは接続モードにあるとき、ネットワーク側装置によって送信された構成情報に従って、前記ＰＳＳ、ＳＳＳまたは、ＤＭＲＳの送信周期を決定する。
【００７４】
任意選択で、当該送信周期がＵＥの移動速度に対応し、ここで、第１の移動速度に対応する送信周期は、第２の移動速度に対応する送信周期よりも小さく、第１の移動速度は、第２の移動速度よりも大きい。
【００７５】
任意選択で、当該ユーザー機器は、ネットワーク側装置によって送信された前記同期閾値を調整するための信号命令を受信すると、前記信号命令に従って前記同期閾値を調整するように構成された調整ユニットをさらに備える。
【００７６】
ＰＤＣＣＨのＢＬＥＲはＲＬＭの判断基準として使用されるが、ＢＬＥＲ統計には長期プロセスが必要であり、ＵＥはＰＤＣＣＨのＢＬＥＲを計算できない。従ってＵＥは実際のリンクモニタリング中およびテスト中、ＵＥはブロックエラー率統計することにより無線リンク品質を判断することはできず、信号の信号対干渉および雑音比を受信することにより、無線リンク品質を判断する必要がある。したがって、本発明の実施形態では、前記ユーザー機器のモニタリングユニットは、具体的にサービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得する。
【００７７】
第５の実施形態
図５に示されるように、本発明の実施形態による無線リンクモニタリングシステムは、
信号命令により事前に構成された同期閾値を前記ＵＥに送信するように構成されたネットワーク側装置５０１と、
無線リンクモニタリングを実行するとき、プライマリサービングセルのダウンリンク信号をモニタリングし、モニタリング結果を取得し、前記モニタリング結果を前記事前に構成された同期閾値と比較して、前記ＵＥが同期状態にあるかどうかを判断するように構成された５０２ユーザー機器（ＵＥ）とを備える。
【００７８】
本発明の実施例は、メモリに格納されたコンピュータプログラムを実行するときに、第１の実施形態、第２の実施形態または第３の実施形態による前記方法のステップを実施するように構成されたプロセッサを含むコンピュータ装置を、提供する。
【００７９】
本発明の実施例によるコンピュータ可読記憶媒体は、コンピュータプログラムを記憶し、コンピュータプログラムは、プロセッサによって実行されると、第１の実施形態、第２の実施形態または第３の実施形態による前記方法のステップを実施する。
【００８０】
ＮＲのＳＳブロックはＰＤＣＣＨを含まないので、ＲＬＭは、ＬＴＥにおける仮想のＰＤＣＣＨ方法で実施することはできない。従来技術の問題を解決するため、本発明の実施例で提供される方法は、ＮＲのＳＳブロック内のチャネルおよび/または情報を利用してＵＥの同期または非同期の閾値をマッピングし、ＮＲシステムでのＲＬＭ実施を達成できる。
【００８１】
仮想ＰＤＣＣＨに基づく方法と比較して、本発明の実施例で提供される方法は、各ＮＲ ＳＳブロックに含まれるＰＢＣＨを使用する。したがって、仮想ＰＤＣＣＨを定義する必要はない。さらに、ＵＥが実際のＰＢＣＨ ＢＬＥＲから同期閾値へのマッピングを実施するほうが簡単であり、ＲＬＭ性能要件の定義が簡単になり、また、ＲＬＭ性能のテストのワークロードを最小限に抑えることができる。ＮＲ ＰＢＣＨ性能テストと同時にＲＬＭテストを実行できる。
【００８２】
上述の実施形態に加え、図６に示されるように、本発明の実施例では、ユーザー機器をさらに提供する。当該ユーザー機器は、プロセッサ６０１と、送受信機６０２とを備える。
【００８３】
前記プロセッサ６０１は、メモリに格納されたプログラムを読み出して、以下のように実行され、
プライマリサービングセルのダウンリンク信号をモニタリングし、モニタリング結果を取得し、
前記モニタリング結果を取得された同期閾値と比較して、前記ＵＥが同期状態にあるかどうかを判断し、ここで、前記同期閾値は、事前に構成されたパラメーター値に基づいて判断される。
【００８４】
前記送受信機６０２は、プロセッサ６０１の制御の下でデータを送受信する。
【００８５】
ここで、図６において、バスアーキテクチャは、いずれ数の相互接続するバス及びブリッジを備える。具体的に、プロセッサ６０１が代表となる１つまたは複数のプロセッサおよびメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６０２は、複数の部品であることができ、すなわち、送信機及び受信機を備え、伝送媒体を介して他の装置と通信するユニットを提供する。異なるユーザー設備に対し、ユーザーインターフェースは、外部接続または内部接続に必要な設備のインターフェースであることもできる。接続する設備は、キーパッド、ディスプレー、スピーカー、マイクロホン、ジョイスティック等を備えるが、これに限られない。
【００８６】
プロセッサ６０１は、バスアーキテクチャの管理及び通常の処理を担当し、メモリは、プロセッサ６０１が動作する際に利用するデータを記憶することができる。
【００８７】
任意選択で、プロセッサ６０１が前記モニタリング結果を取得された同期閾値と比較して、前記ＵＥが同期状態にあるかどうかを判断する前、さらに、
プロセッサ６０１は、前記ＵＥによって受信されたシステム同期ＳＳブロックのブロックエラー率（ＢＬＥＲ）のマッピングに従って前記同期閾値を決定し、または、
プロセッサ６０１は、ネットワーク側装置によって事前に構成されたパラメーター値に  
【００８８】
従って、前記同期閾値を決定する。
【００８９】
任意選択で、前記ＳＳブロックのブロックエラー率（ＢＬＥＲ）は、新しい無線（ＮＲ）物理ブロードキャストチャネル（ＰＢＣＨ）のＢＬＥＲである。
【００９０】
任意選択で、前記プロセッサ６０１が受信されたシステム同期ＳＳブロックのブロックエラー率（ＢＬＥＲ）のマッピングに従って、前記同期閾値を決定する前、プロセッサ６０１は、さらに、各ＳＳブロック内のビーム方向を事前に設定するためのプライマリ同期信号（ＰＳＳ）とセカンダリ同期信号（ＰＳＳ）またはＰＢＣＨの復調参考信号（ＤＭＲＳ）を使用して前記ＳＳブロックのＢＬＥＲを計算する。
【００９１】
任意選択で、前記システム同期ＳＳブロックのブロックエラー率（ＢＬＥＲ）を計算する前、プロセッサ６０１は、さらに、
前記ユーザー機器がアイドルモードまたは接続モードにあるとき、プロセッサ６０１は、ネットワーク側装置によって送信された構成情報に従って、前記ＰＳＳ、ＳＳＳまたは、ＤＭＲＳの送信周期を決定する。
【００９２】
任意選択で、前記送信周期は、前記ＵＥの移動速度に対応し、ここで、第１の移動速度に対応する送信周期は、第２の移動速度に対応する送信周期よりも小さく、第１の移動速度は、第２の移動速度よりも大きい。
【００９３】
任意選択で、プロセッサ６０１が前記モニタリング結果と取得された同期閾値に対して無線リンクモニタリングを実行した後、プロセッサ６０１は、さらに、ネットワーク側装置によって送信された前記同期閾値を調整するための信号命令を受信すると、前記信号命令に従って前記同期閾値を調整する。
【００９４】
任意選択で、プライマリサービングセルのダウンリンク信号をモニタリングし、モニタリング結果を取得するとき、プロセッサ６０１は、
サービングセルのプライマリ同期信号（ＰＳＳ）およびセカンダリ同期信号（ＳＳＳ）の参考信号受信品質（ＲＳＲＱ）または信号対干渉雑音比（ＳＩＮＲ）および復調参考信号（ＤＭＲＳ）をモニタリングし、モニタリング結果を取得する。
【００９５】
本分野の技術者として、本発明の実施形態が、方法、システムまたは、コンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは、複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００９６】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、または、他のプログラム可能なデータ処理装置設備の処理装置器に提供でき、コンピュータまたは、他のプログラム可能なデータ処理装置のプロセッサは、これらのコンピュータプログラム命令を実行し、フロー図における一つまたは、複数のフローおよび／またはブロック図における一つまたは、複数のブロックに指定する機能を実現する。
【００９７】
これらのコンピュータプログラム命令は又、コンピュータまたは、他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つまたは、複数のフローおよび／またはブロック図における一つまたは、複数のブロックに指定する機能を実現する。
【００９８】
これらコンピュータプログラム命令はさらに、コンピュータまたは、他のプログラム可能なデータ処理装置設備に実装もできる。コンピュータプログラム命令が実装されたコンピュータまたは、他のプログラム可能設備は、一連の操作ステップを実行することによって、関連の処理を実現し、コンピュータまたは、他のプログラム可能な設備において実行される命令によって、フロー図における一つまたは、複数のフローおよび／またはブロック図における一つまたは、複数のブロックに指定する機能を実現する。
【００９９】
上述した実施形態に記述された技術的な解決手段を改造し、または、その中の一部の技術要素を置換することもできる。そのような、改造と置換は本発明の各実施形態の技術の範囲から逸脱するとは見なされない。
【０１００】
無論、当業者によって、上述した実施形態に記述された技術的な解決手段を改造し、または、その中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１０１】
401  モニタリングユニット
402  判断ユニット
501  ネットワーク側装置
502  ユーザー機器
601  プロセッサ
602  送受信機
【図１】
0006920479.tif 000002
【図２】
0006920479.tif 000003
【図３】
0006920479.tif 000004
【図４】
0006920479.tif 000005
【図５】
0006920479.tif 000006
【図６】
0006920479.tif 000007